(57)【要約】【課題】  一基の駆動装置による通常作業送り速度と高速早戻り速度を可能にすることによって、長尺の搬送装置の節動作業範囲に供給されるパレット作業台の使用個数を効率的に供給する循環式の搬送装置の提供を図る。【解決手段】  パレット作業台の循環搬送を行う搬送装置であって、水平送り昇降装置２０の両側に垂直昇降装置３０を配置し、かつ、該水平送り昇降装置２０の下方部に水平早戻り装置４０を配置し、該水平送り昇降装置２０と垂直昇降装置３０と水平早戻り装置４０とを動力伝達チェーン１７と無端ローラーチェーン体２３，３２で連動させることで、一基の駆動装置１１でパレット作業台７０の循環搬送並びに水平早戻り装置４０による高速搬送を可能とした。また、水平送り昇降装置２０の上方中間位置に、該水平送り昇降装置２０と送り高さを同じくした水平早送り装置６０を配置する構成も可能である。【選択図】図１
2011079624.tif 000002
【特許請求の範囲】
【請求項１】
パレット作業台の循環搬送を行う搬送装置であって、
水平送り昇降装置の両側に垂直昇降装置を配置し、かつ、該水平送り昇降装置の下方部に水平早戻り装置を配置し、該水平送り昇降装置と垂直昇降装置と水平早戻り装置とを動力伝達チェーンと無端ローラーチェーン体で連動させることで、一基の駆動装置でパレット作業台の循環搬送並びに水平早戻り装置による高速搬送を可能としたことを特徴とするパレット作業台循環搬送装置。
【請求項２】
前記パレット作業台循環搬送装置において、水平送り昇降装置の上方中間位置に、該水平送り昇降装置と送り高さを同じくした水平早送り装置を配置し、該水平送り昇降装置と垂直昇降装置と水平早戻り装置と水平早送り装置とを動力伝達チェーンと無端ローラーチェーン体で連動させることで、一基の駆動装置でパレット作業台の循環搬送並びに水平早送り装置と水平早戻り装置による高速搬送を可能としたことを特徴とする請求項１に記載のパレット作業台循環搬送装置。
【請求項３】
前記水平送り昇降装置が、前記パレット作業台を水平方向に送る水平搬送機能と、垂直方向に送る昇降機能と、水平早戻り装置に送り込む機能と、前記水平早戻り装置との接触を回避する機能とを備え、複数のスプロケットギアと該スプロケットギア間に連架された無端ローラーチェーン体で構成される左右一対の搬送スプロケット体と、前記パレット作業台をスライド移動させるための左右一対の搬送レールと、を本体搬送方向に並設した構造であることを特徴とする請求項１または請求項２記載のパレット作業台循環搬送装置。
【請求項４】
前記垂直昇降装置が、垂直昇降機能を備え、少なくとも二以上のスプロケットギアと該スプロケットギア間に連架された無端ローラーチェーン体で構成される左右一対の搬送スプロケット体と、前記パレット作業台を受け渡しする左右一対の搬送レールと、を本体搬送方向に並設した構造であることを特徴とする請求項１から請求項３のいずれかに記載のパレット作業台循環搬送装置。
【請求項５】
前記水平早戻り装置および水平早送り装置が、少なくとも二以上のスプロケット回転軸体と高速搬送コンベアと搬送レールとで構成され、スプロケット回転軸体は、連結軸に少なくとも一以上のコンベア回転ギアを備え、高速搬送コンベアは、高速送りチェーンに小径の回転ローラを回動自在に複数個軸支してなり、該スプロケット回転軸体を少なくとも搬送方向の前後二箇所に配置してできるコンベア回転ギア間を高速送りチェーンにより連架するとともに、該高速送りチェーンの下方位置に回転ローラと接触するよう搬送レールが設けられていることを特徴とする請求項１から請求項４記載のいずれかに記載のパレット作業台循環搬送装置。
【請求項６】
前記パレット作業台が、搬送方向と直交する側面の対角線上に対向して設けられる搬送ローラ体と、搬送突起付ローラ体と、を備えたＷローラ体で形成されていることを特徴とする請求項１から請求項５のいずれかに記載のパレット作業台循環搬送装置。
【請求項７】
前記水平送り昇降装置ならびに垂直昇降装置における無端ローラーチェーンに、パレット作業台を牽引するための搬送フック体を設けることで、無端ローラーチェーン体が構成されていることを特徴とする請求項１から請求項６のいずれかに記載のパレット作業台循環搬送装置。
【発明の詳細な説明】
【技術分野】
【０００１】
本発明は、主に組み立てラインで使用される被組み立て品を積載するパレット作業台の搬送装置に関する。
【背景技術】
【０００２】
現在、一般的に普及しているパレット作業台を利用した組み立てラインは、組み立て作業者が組み立てラインに沿って一列に並び、パレット作業台に載せられた被組み立て品を搬送コンベアの流れに合わせて所定領域の組み立て作業を行うものであった。
【０００３】
上記の作業システムは、作業一工程が終わるごとに製品が一タクト移動する節動作業（タクト・システム）方式とも呼ばれ、一定時間ごとに製品が各タクト（拍節）を担当する作業領域に規則的に移動し、加工されるものであるが、作業領域に流れるパレット作業台と回収されて供給されるパレット作業台が同タクトで搬送されるため、作業工程の数に合わせたパレット作業台を必要とするもので、特に長いラインになる程、多くのパレット作業台を必要とするものであった。
【０００４】
また、搬送コンベアの搬送速度とパレット作業台の回収速度を変えてパレット作業台を効率よく回収する構造とすると、搬送コンベアの搬送速度とパレット作業台の回収速度を別々に設定する必要があることから、それを駆動する駆動手段も別個に設けなければならず、搬送装置の製造コストが大となるものであった。
【０００５】
また、本出願人は、作業者が組立作業をするパレット作業台を搬送コンベア上で安定的に流す「水平昇降パレットコンベア装置」(特許文献1参照)を既に提案しているが、該技術は、一基の駆動モータと無端搬送チェーンによるパレット作業台を安定的に供給するものであって、組立作業の作業時間に即してパレット作業台を効率よく供給するものではなかった。
【０００６】
【特許文献１】特開平８―５８９４４号公報
【発明の概要】
【発明が解決しようとする課題】
【０００７】
本発明は、上記問題点を鑑み、一基の駆動装置による通常の作業送り速度と高速による早戻り速度を可能にすることによって、長尺の搬送装置の節動作業毎に使用されるパレット作業台の個数を効率的に供給することができるパレット作業台の循環搬送装置を提供することを課題とするものである。
【課題を解決するための手段】
【０００８】
上記課題を解決するため、本発明は、パレット作業台の循環搬送を行う搬送装置であって、水平送り昇降装置の両側に垂直昇降装置を配置し、かつ、該水平送り昇降装置の下方部に水平早戻り装置を配置し、それらを一基の駆動装置よって動力伝達チェーンと無端ローラーチェーン体で連動させることで、一基の駆動装置でパレット作業台の循環搬送と水平早戻り装置の高速搬送とを可能とした構造となっている。
【０００９】
また、本発明は、前記パレット作業台循環搬送装置において、水平送り昇降装置の上方中間位置に、該水平送り昇降装置と送り高さを同じくした水平早送り装置を配置し、該水平送り昇降装置と垂直昇降装置と水平早戻り装置と水平早送り装置とを動力伝達チェーンと無端ローラーチェーン体で連動させることで、一基の駆動装置でパレット作業台の循環搬送並びに水平早送り装置と水平早戻り装置による高速搬送を可能とした構造を採用し得る。
【００１０】
さらに、本発明は、前記パレット作業台循環搬送装置において、前記水平送り昇降装置が、前記パレット作業台を水平方向に送る水平搬送機能と、垂直方向に送る昇降機能と、水平早戻り装置に送り込む機能と、前記水平早戻り装置との接触を回避する機能とを備え、複数のスプロケットギアと該スプロケットギア間に連架された無端ローラーチェーン体で構成される左右一対の搬送スプロケット体と、前記パレット作業台をスライド移動させるための左右一対の搬送レールと、を本体搬送方向に並設した構造となっている。
【００１１】
そして、本発明は、前記パレット作業台循環搬送装置において、前記垂直昇降装置が、垂直昇降機能を備え、少なくとも二以上のスプロケットギアと該スプロケットギア間に連架された無端ローラーチェーン体で構成される左右一対の搬送スプロケット体と、前記パレット作業台を受け渡しする左右一対の搬送レールと、を本体搬送方向に並設した構造となっている。
【００１２】
またさらに、本発明は、前記パレット作業台循環搬送装置において、前記水平早戻り装置および水平早送り装置が、少なくとも二以上のスプロケット回転軸体と高速搬送コンベアと搬送レールとで構成され、スプロケット回転軸体は、連結軸に少なくとも一以上のコンベア回転ギアを備え、高速搬送コンベアは、高速送りチェーンに小径の回転ローラを回動自在に複数個軸支してなり、該スプロケット回転軸体を少なくとも搬送方向の前後二箇所に配置してできるコンベア回転ギア間を高速送りチェーンにより連架するとともに、該高速送りチェーンの下方位置に回転ローラと接触するよう搬送レールが設けられている構成となっている。
【００１３】
さらにまた、本発明は、前記パレット作業台循環搬送装置において、前記パレット作業台が、搬送方向と直交する側面の対角線上に対向して設けられる搬送ローラ体と、搬送突起付ローラ体と、を備えたＷローラ体で形成されている。
【００１４】
そしてまた、本発明は、前記パレット作業台循環搬送装置において、前記水平送り昇降装置ならびに垂直昇降装置における無端ローラーチェーンに、パレット作業台を牽引するための搬送フック体を設けることで、無端ローラーチェーン体が構成されている。
【発明の効果】
【００１５】
本発明におけるパレット作業台循環搬送装置によれば、搬送方向に対して平行に並設されている無端ローラーチェーンに突設したＶ字型搬送フック体が、パレット作業台の移動方向と直交する側面の対角線上に対向して設けられる搬送突起付ローラ体を搬送フック体のＶ字型の谷の辺にガタを解消する位置で係止して牽引するため、移動方向のガタ（ガタが生じた場合、ガタの分だけパレット作業台が移動方向に対して対角線状に微妙にひねられる）を吸収することができると共に、垂直方向のガタも移動方向と直交する側面の両対角線上に対向して設けられる二基の搬送ローラ体が、並行して設けられる搬送レール上をスライドして移動するためパレット作業台が極めて安定的に搬送される優れた効果が得られるものである。
【００１６】
また、パレット作業台循環搬送装置内に設けられている一連の装置が無端ローラーチェーンによって連動されているため、各装置のタイミングのズレが発生しにくい構造であると共に、一基の駆動装置によってパレット作業台循環搬送装置全体が駆動する構成であるため、装置の軽量化、製造コストの低廉化、メンテナンスの簡素化が図れる優れた効果が得られるものである。
【００１７】
また、節動作業方式（タクト・システム）を採用しているにも係らず、通常搬送と高速搬送を同時に行うことができるため、パレット作業台を必要最小限度の個数で供給することができる優れた効果が得られるものである。
【００１８】
また、組立ラインが長くなったり、建物の関係で途中工程を高速で搬送しなければならない場合でも、組み立て領域のライン速度を変更することなく効率よく稼動できる優れた効果が得られるものである。
【図面の簡単な説明】
【００１９】
【図１】本発明におけるパレット作業台循環搬送装置の構成を示す分解模式図である。（実施例１）
【図２】本発明におけるパレット作業台循環搬送装置の伝達状態を模式的に示す側面図である。（実施例２）
【図３】本発明におけるパレット作業台循環搬送装置のパレット作業台の移動状態を示す説明図である。（実施例３）
【図４】本発明におけるパレット作業台循環搬送装置の高速搬送コンベアを示す模式的説明図である。（実施例４）
【図５】本発明におけるパレット作業台循環搬送装置の送り状態を示す模式的部分側面図である。（実施例５）
【図６】本発明におけるパレット作業台循環搬送装置の戻り状態を示す模式的部分側面図である。（実施例６）
【図７】本発明におけるパレット作業台循環搬送装置の構成を示す別の実施形態の分解模式図である。（実施例７）
【図８】本発明におけるパレット作業台循環搬送装置の伝達順序を示す別の実施形態の模式的部分側面図である。（実施例８）
【図９】本発明におけるパレット作業台循環搬送装置の作動状態を示す別の実施形態の模式的部分側面図である。（実施例９）
【発明を実施するための形態】
【００２０】
本発明は、一基の駆動装置によって通常の作業送り速度と高速による早送り速度を可能にすることによって、長尺の搬送装置の節動作業（タクトシステム）毎に使用されるパレット作業台を効率的に供給することができることを最大の特徴とする。以下、本発明にかかるパレット作業台循環搬送装置の実施形態を、図面に基き説明する。
【実施例１】
【００２１】
図１は、本発明におけるパレット作業台循環搬送装置の構成を示す分解模式図である。
本パレット作業台循環搬送装置１０は、横型の直方体の筐体内において、パレット作業台７０を水平に搬送する水平送り昇降装置２０と、その両側に垂直に搬送する垂直昇降装置３０と、該下方部に高速搬送コンベア４４で早戻りさせる水平早戻り装置４０とを配置し、それらの各装置を動力伝達チェーン１７ならびに無端ローラーチェーン体２３．３２で連動させ、一基の駆動装置１１で駆動する構造を有するものである。
【００２２】
図２は、本発明におけるパレット作業台循環搬送装置１０の駆動力の伝達状態を模式的に示す側面図である。
水平送り昇降装置２０は、スプロケットギア（Ｄ、Ｅ）による送り方向の水平搬送機能と、スプロケットギア（Ｄ，ＫならびにＥ，Ｆ）による垂直方向の昇降機能と、スプロケットギア（Ｆ，ＧならびにＪ，Ｋ）による水平早戻り装置４０と垂直昇降装置３０に送り込む機能と、スプロケットギア（Ｈ，Ｉ）によるパレット作業台７０が水平早戻り装置４０で搬送される際の接触を回避する機能とを備え、それら複数のスプロケットギア１２と該スプロケットギア１２間に連架された無端ローラーチェーン体２３で構成される左右一対の搬送スプロケット体２２と、前記パレット作業台７０をスライド移動させるための左右一対の搬送レール１４と、を本体搬送方向中央上部に並設する構造を有する。
【００２３】
前記スプロケットギア１２の個数については、機械設計上決定されればよく、複数であれば特に限定するものではない。なお、図面においては、該スプロケットギア１２を片側に８個設けた場合について示している。
このとき、スプロケットギア１２の少なくとも一つをテンション調整ギア化して配置を変更可能とする構造を採用することで、無端ローラーチェーン体２３の緊張状態を維持することが可能である。例えば、使用により無端ローラーチェーン体２３の緊張が弛んだ際に、スプロケットギア（Ｈ）を図面における左方向へ配置変更することで、再度無端ローラーチェーン体２３の緊張状態を維持することが可能となる。
【００２４】
水平送り昇降装置２０内に設けられる搬送スプロケット体２２は、上記の各機能を有して配置されると共に、上部左右に設けられるスプロケットギア（Ｄ、Ｅ）は、駆動側の動力伝達チェーン１７と水平送り昇降装置２０内の無端ローラーチェーン体２３を伝達する必要があるためスプロケットギア１２は二連式となる構造を有する。
【００２５】
水平送り昇降装置２０内に設けられる無端ローラーチェーン体２３は、ローラーチェーンの内側プレート８３の内側側面にパレット作業台７０の搬送突起付ローラ体を７３受ける搬送フック体１５を設けて連架される。
【００２６】
また、水平送り昇降装置２０内の下方部（水平早戻り装置４０の上方部）に設けられる無端ローラーチェーン体２３は、パレット作業台７０を水平早戻り装置４０の高速搬送コンベア４４と垂直昇降装置３０に確実に送り込む機能を有するスプロケットギア（Ｆ，ＧならびにＪ，Ｋ）の配置構造を備える。
【００２７】
水平送り昇降装置２０内に設けられる搬送レール１４は、パレット作業台７０を安定的にスライドさせる目的で搬送方向と並行して本体上方部に設けられる。
【００２８】
垂直昇降装置３０は、垂直昇降機能を備え、少なくとも二以上のスプロケットギア（Ｂ、ＣまたはＬ、Ｍ）間に連架された無端ローラーチェーン体３２で構成される左右一対の搬送スプロケット体３１と、パレット作業台７０を受け渡しする上下一対の受け渡し搬送レール３３とを、本体搬送方向に並設する構造を有する。
【００２９】
垂直昇降装置３０内に設けられる搬送スプロケット体３１は、パレット作業台７０の寸法に合わせた長さ位置と垂直送り距離に合わせた高さ寸法位置を確保し、スプロケットギア（Ｂ、ＣまたはＬ、Ｍ）による垂直送り機能を有する位置に取り付けられる。また、上部左右に設けられるスプロケットギア（Ｂ、Ｌ）は、駆動力を無端ローラーチェーン１７で伝達する必要があるため、二連式となる構造を有する。
【００３０】
垂直昇降装置３０内に設けられる受け渡し搬送レール３３は、パレット作業台７０を安定的に受け渡しさせる目的で搬送方向と並行して垂直昇降装置３０の上部と下部にパレット作業台７０の幅を回避して並設される。上部はパレット作業台７０の搬送ローラ体７２と搬送突起付ローラ体７３の間より短く、下部はパレット作業台７０の搬送ローラ体７２と搬送突起付ローラ体７３を受けて次工程にスライド移動できる長さを有して本体に取り付けられる。
【００３１】
水平早戻り装置４０は、少なくとも二以上のスプロケット回転軸体４１と、パレット作業台７０を高速搬送させる高速搬送コンベア４４とそれを支える搬送レール４５とで構成され、本体中央下部に設けられる。スプロケット回転軸体４１は、連結軸４１ａに少なくとも一以上のコンベア回転ギア４１ｂを備えてなり、少なくとも搬送方向の前後二箇所に、水平戻り距離に合わせた長さ位置を確保しつつ夫々配置される。そして、かかる前後のコンベア回転ギア４１ｂ間が、高速送りチェーン８１により連架されることで、水平早戻り装置４０は水平戻り機能と高速送り機能を有することとなる。なお、水平早戻り装置４０は、水平送り昇降装置２０に対して逆回転する構造で運転される。このとき、コンベア回転ギア４１ｂに駆動力を動力伝達チェーン１７で伝達する必要があるため、該コンベア回転ギア４１ｂの一つは二連式となる構造を有する。
【００３２】
水平早戻り装置４０内に設けられる高速搬送コンベア４４は、図４（ａ）で示すように、小径の回転ローラ８５を回動自在に複数個軸支してなる高速送りチェーン８１が、少なくとも前後二箇所のスプロケット回転軸体４１におけるコンベア回転ギア４１ｂに連架された構造となっており、高速送り機能を有して構成されている。
【００３３】
また、水平早戻り装置４０に設けられる搬送レール４５は、図４（ｂ）で示すように、高速送りチェーン８１の回転ローラ８５と接触させることで、該回転ローラ８５を回動させて高速搬送させる目的で、搬送方向と並行して高速送りチェーン８１の数だけ設けられている。
【００３４】
各装置を連結する動力伝達チェーン１７や、水平送り昇降装置２０ならびに垂直昇降装置３０に設けられる無端ローラーチェーン体２３．３２は、ローラ、ブッシュ、内側プレート、外側プレート、ピンで構成される通常のローラーチェーンである。
なお、無端ローラーチェーン体２３．３２には、内側プレートの内側側面に、パレット作業台７０の搬送突起付ローラ体７３を受ける搬送フック体１５が設けられている。
【００３５】
駆動装置１１は、本体外端部に電気式駆動モータが設けられてなり、該駆動装置１１の駆動力は、本体側面に設けられる減速機能を有するスプロケット回転軸体１６に動力伝達チェーン１７によって伝達される。
【００３６】
搬送フック体１５は、図３（ａ）で示すように、水平送り昇降装置２０ならびに垂直昇降装置３０における無端ローラーチェーン体２３，３２の内側プレート８３の内側側面に、パレット作業台７０の搬送突起付ローラ体７３の取り付け寸法ピッチに合わせて連続して添設されている。受け部は、Ｖ字型の形状を有して、パレット作業台７０の搬送突起付ローラ体７３の外周面を接線状に受けて牽引する構造を有している。
【実施例２】
【００３７】
図２は、本発明におけるパレット作業台循環搬送装置の駆動力の伝達状態を、模式的に示す側面図である。
各装置のローラーチェーンによる伝達順序を駆動装置１１から順に説明すると、まず最初に、駆動装置１１によって発生する回転駆動力は、動力伝達チェーン１７によって減速機能を有するスプロケット回転軸体１６に伝達され、使用される回転速度に合わせた適当な回転数に減速される。次に、減速機能を有するスプロケット回転軸体１６から動力伝達チェーン１７によって伝達された駆動力は、水平送り昇降装置２０と両側に位置する垂直昇降装置３０の搬送スプロケット体２２，３１に伝達され、パレット作業台７０が水平ならびに垂直搬送される構造となる。
【００３８】
一方、水平早戻り装置４０への駆動力の伝達は、高速搬送コンベア４４のスプロケット回転軸体４１におけるコンベア回転ギア４１ｂに逆回転となって伝達され、該コンベア回転ギア４１ｂ間に連架されている高速送りチェーン８１が駆動する。このとき、該高速送りチェーン８１に回転自在に軸支されている複数の小径の回転ローラ８５が、搬送レール４５と接触することで回動することとなり、これにより水平早戻り装置４０は、パレット作業台７０を高速でスライド移動させる早送り機能を有する仕組みとなっている。
【実施例３】
【００３９】
図３は、本発明におけるパレット作業台循環搬送装置１０のパレット作業台７０の移動状態を示す説明図である。図３（ａ）は全体斜視図を示し、図３（ｂ）は水平送り昇降装置２０上にある平面図を示し、図３（ｃ）は水平早戻り装置４０上にある平面図を示す。
図３（ａ）のパレット作業台７０は、作業面が平坦な略矩形の厚みのある平面体で、移動方向と平行する側面の対角線上に対向して設けられる搬送ローラ体７２と搬送突起付ローラ体７３とを備えたＷローラ体７１で形成される。
【００４０】
図３（ｂ）のパレット作業台７０は、移動方向と平行する側面の対角線上に対向して設けられる搬送ローラ体７２が、本体上方部に設けられている搬送レール１４上をスライド移動すると共に移動方向と平行する側面の対角線上に対向して設けられる搬送突起付ローラ体７３がパレット作業台７０の幅を回避して両側に設けられた無端ローラーチェーン体２３の搬送フック１５に引っ掛けられ搬送される。
【００４１】
図３（ｃ）のパレット作業台７０は、水平早戻り装置内４０に設けられる高速搬送コンベア４４で搬送されるもので、該パレット作業台７０における搬送突起付ローラ体７３が搬送フック１５から解放された状態で、高速送りチェーン８１に軸支された複数の回転ローラ８５の回転力を受け、水平早戻り装置４０のストッパ９２の位置まで送られる。
【００４２】
搬送ローラ体７２は、水平移動時は、本体上部に設けられた本体上方部の搬送レール１４上をスライド移動し、垂直移動時は、垂直昇降装置３０のガイドレール３４に沿ってスライド移動する。
【００４３】
搬送突起付ローラ体７３は、基部に回転ローラを有して搬送レール１４上をスライドすると共に、水平送り昇降装置２０と垂直昇降装置３０の無端ローラーチェーン体２３．３２に設けられる搬送フック体１５に受けられるもので、パレット作業台７０が水平早戻り装置４０の高速搬送コンベア４４を移動中は、解放されて高速搬送を可能にする構造を有する。
【実施例４】
【００４４】
図４は、本発明におけるパレット作業台循環搬送装置１０の高速搬送コンベア４４を示す模式的説明図である。図４（ａ）は斜視図を示し、図４（ｂ）は側断面図を示す。
高速搬送コンベア４４は、小径の回転ローラ８５を回動自在に複数個軸支してなる高速送りチェーン８１が、少なくとも前後二箇所のスプロケット回転軸体４１におけるコンベア回転ギア４１ｂに連架された構造となっている。
また、水平早戻り装置４０に設けられる搬送レール４５は、図４（ｂ）で示すように、高速送りチェーン８１の回転ローラ８５と接触させることで、該回転ローラ８５を回動させて高速搬送させる目的で、搬送方向と並行して高速送りチェーン８１の数だけ設けられている。
そして、コンベア回転ギア４１ｂへの回転駆動力の伝達に際し、逆回転機構４３により水平早送り装置２０に対して逆回転させることで、パレット作業台７０は、その底面が回転ローラ８５と接触することで、高速搬送コンベア４４上を早戻りする構造を採っている。
【実施例５】
【００４５】
図５は、本発明におけるパレット作業台循環搬送装置１０の作動状態（送り）を示す模式的部分側面図である。流れ作業方式において、一連の作業工程が終わるまでのパレット作業台７０の移動状態を順次説明する。
（ａ）水平送り昇降装置２０上部の無端ローラーチェーン体２３上に載ったパレット作業台７０は、搬送突起付ローラ体７３が該無端ローラーチェーン体２３に設けられた搬送フック体１５に牽引され、流れ作業にしたがって移動する。
（ｂ）全作業工程を終了し、パレット作業台７０は、水平送り昇降装置２０の上部最終地点に到達する。
（ｃ）パレット作業台７０の左前方（図で左側）に位置する搬送突起付ローラ体７３が水平送り昇降装置２０の無端ローラーチェーン体２３の搬送フック体１５から一旦外れるとともに、パレット作業台７０の右後方（図で右側）に位置する搬送突起付ローラ体７３は同搬送フック体１５に引っ掛かかった状態で、該右後方の搬送突起付ローラ体７３が水平送り昇降装置２０に連動することで、パレット作業台７０は前方へ押し出される。そして、左前方の搬送突起付ローラ体７３が、今度は垂直昇降装置３０の無端ローラーチェーン体３２の搬送フック体１５に引っ掛けられる。
（ｄ）パレット作業台７０の左前方（図で左側）に位置する搬送突起付ローラ体７３が垂直昇降装置３０の無端ローラーチェーン体３２の搬送フック体１５に、右後方（図で右側）に位置する搬送突起付ローラ体７３が水平送り昇降装置２０の無端ローラーチェーン体２３の搬送フック体１５に引っ掛かった状態で、水平送り昇降装置２０の無端ローラーチェーン体２３と垂直昇降装置３０の無端ローラーチェーン体３２の垂直下方送りによってパレット作業台７０は下方に搬送される。
（ｅ）パレット作業台７０が、垂直昇降装置３０の最下端位置で受け渡し搬送レール３３上に載せられ、パレット作業台７０の左前方（図で左側）に位置する搬送突起付ローラ体７３が垂直昇降装置３０の無端ローラーチェーン体３２の搬送フック体１５から外れる。このとき、右後方（図で右側）の搬送突起付ローラ体７３は水平送り昇降装置２０の無端ローラーチェーン体２３の搬送フック体１５に引っ掛かった状態のまま、該水平送り昇降装置２０に連動することにより、パレット作業台７０は水平早戻り装置４０に送り込まれる。
【００４６】
図６は、本発明におけるパレット作業台循環搬送装置１０の作動状態（戻り）を示す模式的部分側面図である。
（ｆ）パレット作業台７０は、水平早戻り装置４０の高速搬送コンベア４４の送りと、回転ローラ８５と搬送レール４５の接触による該回転ローラ８５の回転によって、水平早戻り装置４０のストッパ９２の位置まで送られる。
なお、パレット作業台７０は、その進行をストッパ９２で止められた状態にて該ストッパ９２の開放まで待機する。そのとき、回転ローラ８５は回転し続け、パレット作業台７０との接面にて滑りが生じている。
（ｇ）水平送り昇降装置２０の無端ローラーチェーン体２３に設けられた搬送フック体１５がリミットスイッチ９１を操作することで、ストッパ９２が開放されて、該ストッパ９２で進行を止められたパレット作業台７０が前方へ送られて、左前方（図で左側）の搬送突起付ローラ体７３が、水平送り昇降装置２０の無端ローラーチェーン体２３に設けられた搬送フック体１５にタイミングよく引っ掛かることで、パレット作業台７０は水平送り昇降装置２０に連動して押し出され、垂直昇降装置３０の受け渡し搬送レール３３上に送られる
（ｈ）パレット作業台７０の左前方（図で左側）の搬送突起付ローラ体７３が水平送り昇降装置２０の無端ローラーチェーン体２３の搬送フック体１５に引っ掛かった状態で、右後方（図で右側）の搬送突起付ローラ体７３は垂直昇降装置３０の無端ローラーチェーン体３２の搬送フック体１５に引っ掛けられる。
（ｉ）パレット作業台７０の左前方（図で左側）の搬送突起付ローラ体７３が水平送り昇降装置２０の無端ローラーチェーン体２３の搬送フック体１５に、右後方（図で右側）の搬送突起付ローラ体７３が垂直昇降装置３０の無端ローラーチェーン体３２の搬送フック体１５に引っ掛かった状態で、水平送り昇降装置２０の無端ローラーチェーン体２３と垂直昇降装置３０の無端ローラーチェーン体３２の垂直上方送りによってパレット作業台７０は上方に搬送される。
（ｊ）垂直昇降装置３０の最上端位置において、パレット作業台７０の左前方（図で左側）の搬送突起付ローラ体７３水平送り昇降装置２０の無端ローラーチェーン体２３の搬送フック体１５に引っ掛かった状態のまま、右後方（図で右側）の搬送突起付ローラ体７３が垂直昇降装置３０の搬送フック体１５を外れ、水平送り昇降装置２０に連動して左前方の搬送突起付ローラ体７３が牽引されることで、右後方の搬送突起付ローラ体７３は受け渡し搬送レール３３上に載せられる。そして、その後に右後方の搬送突起付ローラ体７３も水平送り昇降装置２０の搬送フック体１５に引っ掛けられ、上記（ａ）の状態に戻る。
【実施例６】
【００４７】
図７は、本発明におけるパレット作業台循環搬送装置１０の別の実施形態の構成を示す分解模式図である。
すなわち、本実施形態は、上述した実施形態における水平送り昇降装置２０の上方中間位置に、該水平送り昇降装置２０と送り高さを同じくする水平早送り装置６０を配置し、垂直昇降装置３０、水平早戻り装置４０も含め、それらを一基の駆動装置１１よって動力伝達チェーン１７と無端ローラーチェーン体２３，３２を介して連動させる構造となっている。
【００４８】
水平早送り装置６０の基本構造は、上述した水平早戻り装置４０と同様であって、図４に示されている。すなわち、少なくとも二以上のスプロケット回転軸体６１と、パレット作業台７０を高速搬送させる高速搬送コンベア６４とそれを支える搬送レール６５とで構成され、本体中央上部に設けられる。スプロケット回転軸体６１は、連結軸６１ａに少なくとも一以上のコンベア回転ギア６１ｂを備えてなり、少なくとも搬送方向の前後二箇所に、水平送り距離に合わせた長さ位置を確保しつつ夫々配置される。そして、かかる前後のコンベア回転ギア６１ｂ間が、高速送りチェーン８１により連架されることで、水平早送り装置６０は水平送り機能と高速送り機能を有することとなる。なお、水平早送り装置６０は、水平送り昇降装置２０に対して同回転する構造で運転される。このとき、コンベア回転ギア６１ｂに駆動力を動力伝達チェーン１７で伝達する必要があるため、該コンベア回転ギア６１ｂの一つは二連式となる構造を有する。
【００４９】
なお、水平早送り装置６０内に設けられる高速搬送コンベア６４および搬送レール６５についても、上述した水平早戻り装置４０と同様の構造であるため、説明は省略する
【実施例７】
【００５０】
図８は、本発明におけるパレット作業台循環搬送装置１０の駆動力の伝達状態を模式的に示す側面図である。
各装置のローラーチェーンによる伝達順序を駆動装置１１から順に説明すると、まず最初に、駆動装置１１によって発生する回転駆動力は、動力伝達チェーン１７によって減速機能を有するスプロケット回転軸体１６に伝達され、使用される回転速度に合わせた適当な回転数に減速される。次に、減速機能を有するスプロケット回転軸体１６から動力伝達チェーン１７によって伝達された駆動力は、水平送り昇降装置２０と両側に位置する垂直昇降装置３０の搬送スプロケット体２２，３１に伝達され、パレット作業台７０が水平ならびに垂直搬送される構造となる。
【００５１】
一方、水平早戻り装置４０への駆動力の伝達は、高速搬送コンベア４４のスプロケット回転軸体４１におけるコンベア回転ギア４１ｂに逆回転となって伝達され、該コンベア回転ギア４１ｂ間に連架されている高速送りチェーン８１が駆動する。このとき、該高速送りチェーン８１に回転自在に軸支されている複数の小径の回転ローラ８５が、搬送レール４５と接触することで回動することとなり、これにより水平早戻り装置４０は、パレット作業台７０を高速でスライド移動させる早送り機能を有する仕組みとなっている。
【００５２】
また、水平早送り装置６０への駆動力の伝達は、高速搬送コンベア６４のスプロケット回転軸体６１におけるコンベア回転ギア６１ｂに正回転となって伝達され、該コンベア回転ギア６１ｂ間に連架されている高速送りチェーン８１が駆動する。このとき、該高速送りチェーン８１に回転自在に軸支されている複数の小径の回転ローラ８５が、搬送レール６５と接触することで回動することとなり、これにより水平早送り装置６０は、パレット作業台７０を高速でスライド移動させる早送り機能を有する仕組みとなっている。
【実施例８】
【００５３】
図９は、本発明におけるパレット作業台循環搬送装置１０の作動状態（送り）を示す模式的部分側面図である。流れ作業方式において、一連の作業工程が終わるまでのパレット作業台７０の移動状態を説明する。
（ａ）水平送り昇降装置２０上部の無端ローラーチェーン体２３上に載ったパレット作業台７０は、搬送突起付ローラ体７３が該無端ローラーチェーン体２３に設けられた搬送フック体１５に牽引され、流れ作業にしたがって移動する。
（ｂ）パレット作業台７０の左前方（図で左側）に位置する搬送突起付ローラ体７３が水平送り昇降装置２０の無端ローラーチェーン体２３の搬送フック体１５から外れるとともに、パレット作業台７０の右後方（図で右側）に位置する搬送突起付ローラ体７３は同搬送フック体１５に引っ掛かった状態で、該右後方の搬送突起付ローラ体７３が水平送り昇降装置２０に連動することで、パレット作業台７０は前方へ押し出され、水平早送り装置６０に送り込まれる。
（ｃ）その後、パレット作業台７０の右後方（図で右側）の搬送突起付ローラ体７３も搬送フック体１５から外れ、水平早送り装置６０の高速搬送コンベア６４の送りと、回転ローラ８５と搬送レール６５の接触による該回転ローラ８５の回転によって、パレット作業台７０は水平早送り装置６０のストッパ９２の位置まで送られる。
なお、パレット作業台７０は、その進行をストッパ９２で止められた状態にて該ストッパ９２の開放まで待機する。そのとき、回転ローラ８５は回転し続け、パレット作業台７０との接面にて滑りが生じている。
（ｄ）水平送り昇降装置２０の無端ローラーチェーン体２３に設けられた搬送フック体１５がリミットスイッチ９１を操作することで、ストッパ９２が開放されて、該ストッパ９２で進行を止められたパレット作業台７０が前方へ送られて、右後方（図で右側）の搬送突起付ローラ体７３が、水平送り昇降装置２０の無端ローラーチェーン体２３に設けられた搬送フック体１５にタイミングよく引っ掛かることで、パレット作業台７０は水平送り昇降装置２０に連動して押し出され、垂直昇降装置３０の受け渡し搬送レール３３上に送られる。
（ｅ）そのまま水平送り昇降装置２０にパレット作業台７０の右後方（図で右側）の搬送突起付ローラ体７３が連動することで、左前方（図で左側）の搬送突起付ローラ体７３が垂直昇降装置３０の位置まで押し出され、該垂直昇降装置３０の無端ローラーチェーン体３２の搬送フック体１５に左前方の搬送突起付ローラ体７３が引っ掛かる。
以降の作動状態（戻り）に関しては、上述した実施例５における作動状態（戻り）の説明と重複するため、説明ならびに図示は省略する。
【００５４】
以上、本発明にかかるパレット作業台循環搬送装置１０の実施形態について種々説明したが、これらはあくまで例示であって、本発明が上記した実施例や図示した構造に限定されるものではない。
例えば、本発明にかかる水平早送り装置６０について、水平送り昇降装置２０の上方中間位置に複数配置することも考え得る。
【符号の説明】
【００５５】
１０    パレット作業台循環搬送装置
１１    駆動装置
１２    スプロケットギア
１４    搬送レール
１５    搬送フック体
１６    スプロケット回転軸体
１７    動力伝達チェーン
１８    テンション調節ギア
２０    水平送り昇降装置
２２    搬送スプロケット体
２３    無端ローラーチェーン体
３０    垂直昇降装置
３１    搬送スプロケット体
３２    無端ローラーチェーン体
３３    受け渡し搬送レール
３４    ガイドレール
４０    水平早戻り装置
４１    スプロケット回転軸体
４２    無端ローラーチェーン
４３    逆回転機構
４４    高速搬送コンベア
４５    搬送レール
５０    減速回転装置
５１    搬送スプロケット体
５２    無端ローラーチェーン体
５３    搬送レール
６０    水平早送り装置
６１    スプロケット回転軸体
６２    無端ローラーチェーン
６３    逆回転機構
６４    高速搬送コンベア
６５    搬送レール
７０    パレット作業台
７１    Ｗローラ体
７２    搬送ローラ体
７３    搬送突起付ローラ体
８１    高速送りチェーン
８２    無端ローラーチェーン
８３    内側プレート
８４    外側プレート
８５    回転ローラ
９１    リミットスイッチ
９２    ストッパ
Ｓ    作業者
【図１】
2011079624.tif 000003
【図２】
2011079624.tif 000004
【図３】
2011079624.tif 000005
【図４】
2011079624.tif 000006
【図５】
2011079624.tif 000007
【図６】
2011079624.tif 000008
【図７】
2011079624.tif 000009
【図８】
2011079624.tif 000010
【図９】
2011079624.tif 000011